【事件の表示】
　平成１年特許願第３１１５８２号「通信機能付電子機器及び通信機能付電子機器の制御方法」拒絶査定に対する審判事件［平成３年７月２４日出願公開、特開平３−１７１３６０］について、次のとおり審決する。
【結　論】
　本件審判の請求は、成り立たない。
【理　由】
１．手続きの経緯、本願発明
　本願は、平成１年１１月３０日の出願であって、その請求項１に係る発明（以下、「本願発明」という。）は、平成１２年１２月２１日付けの手続補正書によって補正された明細書及び図面の記載からみて、特許請求の範囲の請求項１に記載された次のとおりのものと認める。
　「外部から送られてくるデータを受信してメモリに記憶する通信機能付電子機器において、複数のモードのシークレットデータ及びノーマルデータを記憶するデータ記憶手段と、このデータ記憶手段に記憶されたシークレットデータを読出すためのパスコードデータを記憶するパスコードデータ記憶手段と、データ入力キーと、このデータ入力キーにより前記パスコードデータ記憶手段に記憶されたパスコードデータと同一データが入力されたか否かを判別する判別手段と、データをブロック毎に受信する受信手段と、この受信手段で受信したデータブロックがモードデータ、実データ及び終了データのいずれかかを判断する判断手段と、この判断手段でモードデータと判断された場合に、受信したモードデータを記憶するモードデータ記憶手段と、前記判断手段で実データと判断された場合に、前記判別手段で同一データが入力されたと判別されているときには、前記受信した実データを、前記モードデータ記憶手段に記憶されたモードデータに対応するモードのシークレットデータとして記憶させ、前記判別手段で同一データが入力されないと判別されているときには、前記受信した実データを、前記記憶されたモードデータに対応するモードのノーマルデータとして記憶させる記憶制御手段と、この記憶制御手段によって実データが記憶された後、次のデータブロックの送信を促すコードを送信するコード送信手段と、前記判断手段で終了データと判断された場合に、前記データ記憶手段に記憶された実データを並び換える編集手段と、を具備したことを特徴とする通信機能付電子機器。」
２．引用例記載事項
　これに対して、当審における拒絶の理由に引用された実願昭６２−６１４１６号（実開昭６３−１７１８４９号）に係るマイクロフィルム（以下、「引用例１」という。）には、次の事項が記載されている。
（ａ）第１図に示された情報記憶装置回路構成のブロック図の説明として、「キー判断部１２は、送られてきたキー操作信号から操作されたキーを判断し、その判断結果に基づいた信号を制御部１３に送出すると共に、キー操作がデータ入力であった場合にはその入力データをデータ処理部１４に送出する。制御部１３は、キー判断部１２からの信号に応じて他の回路の動作制御を行なうもので、上記データ処理部１４、モード判別部１５と信号の入出力を行なう一方、初期表示記憶部１６、アドレス部１７にアドレス指定信号を送出する。モード判別部１５は、制御部１３との信号の入出力により現在のモード状態を判別し、その判別結果を初期表示記憶部１６、アドレス部１７に出力する。」（明細書第４頁第３〜１５行）
（ｂ）第１図に示された情報記憶装置回路構成のブロック図の説明として、「データ記憶部１８は上記キー入力部１１の電話キー１１ｂ及びメモキー１１ｃとシークレットキー１１ｄに対応して電話エリア１８ａ、電話シークレットエリア１８ｂ、メモエリア１８ｃ、メモシークレットエリア１８ｄの４つのエリアに分割され、アドレス部１７の指定するエリア内のアドレスに従ってデータ処理部１４との間でデータの書込み／読出しを行なう。」（明細書第４頁第１８行〜第５頁第５行）
（ｃ）「電話番号簿モードでデータを入力する際は、まず電話キー１１ｂを操作して電話番号簿モードを選択した後、データ入力のために電話キー１１ｂを操作し、文字キー１１ａによって名前データとそれに対応する電話番号データをキー入力してから再度電話キー１１ｂを操作する。このようにして入力されたデータはキー判断部１２からデータ処理部１４を介してデータ記憶部１８に送られ、ここでアドレス部１７に指定される電話エリア１８ａ内の所定アドレス位置に記憶設定される。以後データ入力は電話キー１１ｂ、文字キー１１ａ及び電話キー１１ｂを１セットとしてキー操作によって１件ずつ行なわれる。」（明細書第５頁末行〜第６頁第１１行）
（ｄ）「なお、電話キー１１ｂにより電話番号簿モードの選択をした後に予め設定されているキーワードを文字キー１１ａでキー入力し、その後にシークレットキー１１ｄを操作すれば、それ以後のデータ入力はデータ記憶部１８の電話シークレットエリア１８ｂに対して行なわれることとなる。以上は、メモキー１１ｃ操作によってメモ帳モードを設定した場合も同様であり、上記電話キー１１ｂの代わりにメモキー１１ｃを操作することにより、データ記憶部１８のメモエリア１８ｃあるいはメモシークレットエリア１８ｄに所望のメモデータを記憶設定させることができる。」（明細書第６頁第１７行〜第７頁第８行）
（ｅ）「また、…シークレットデータに関するものであると判断された場合には、…データ記憶部１８の電話シークレットエリア１８ｂを指定する。」（明細書１２頁第４〜８行）
　上記（ａ）の記載によれば、情報記憶装置は、キー操作信号がデータ入力であった場合にはその入力データをデータ処理部１４に送出する一方で、キー操作信号に基づいてモード状態を判別しており、外部からキー入力されたデータがモードを選択するためのモード選択データ、データ記憶部１８に記憶される入力データのいずれかかを判断する判断手段を具備することは自明である。
　また、上記（ａ）の「モード判別部１５」は、外部から入力されたモード選択データに基づいて判別したモード判別結果をアドレス部１７に出力するのに、モード判別結果を保持して出力することは自明である。
　さらに、上記（ｄ）の「予め設定されているキーワードを文字キー１１ａでキー入力し、その後にシークレットキー１１ｄを操作すれば、それ以後のデータ入力はデータ記憶部１８の電話シークレットエリア１８ｂに対して行なわれることとなる」のに、情報記憶装置が、予め設定されているキーワードと同一ワードが文字キー１１ｄでキー入力されたか否かを判別する判別手段を具備することは自明である。
　さらに、上記（ｅ）の電話シークレットエリア１８に記憶された「シークレットデータ」は、シークレットが秘密を意味することからして、他人に秘密にしたいデータであることは明らかであり、予め設定されたキーワードを提示する者のみに特定の許可を与えることが慣用されていることから、上記（ｄ）の「予め設定されているキーワード」が他人に秘密にしたいシークレットデータを読出すために用いられることは自明である。
　さらに、設定値を保持するのに記憶手段に記憶させることが慣用されていることから、情報記憶装置が、上記（ｄ）の「予め設定されているキーワード」を記憶する記憶手段を具備することは自明である。
　したがって、上記（ａ）〜（ｅ）の記載を参照して、引用例１には、
　外部からキー入力されるデータをデータ記憶部に記憶する情報記憶装置において、複数のモードの他人に秘密にしたいシークレットデータ及びノーマルデータを記憶するデータ記憶部１８と、データ記憶部１８に記憶されたシークレットデータを読出すための予め設定されたキーワードを記憶する記憶手段と、文字キー１１ａと、前記記憶手段に記憶されたキーワードと同一ワードが文字キー１１ａでキー入力されたか否かを判別する判別手段と、外部からキー入力されたデータがモードを選択するためのモード選択データ、データ記憶部１８に記憶される入力データのいずれかかを判断する判断手段と、この判断手段でモード選択データと判断された場合に、モード選択データに基づいてモードを判別してモード判別結果を保持するモード判別部１５と、前記判断手段でデータ記憶部１８に記憶される入力データと判断された場合に、前記判別手段で同一ワードがキー入力されたと判別されているときには、前記外部からキー入力された入力データをモード判別部１５に保持されたモード判別結果に対応するモードの他人に秘密にしたいシークレットデータとしてデータ記憶部１８のシークレットエリア１８ｂ、１８ｄに記憶させ、前記判別手段で同一ワードが入力されないと判別されているときには、前記外部からキー入力された入力データをモード判別部１５に保持されたモード判別結果に対応するモードのノーマルデータとしてデータ記憶部１８のエリア１８ａ、１８ｃに記憶させる記憶制御手段とを具備した情報記憶装置
が記載されていると認められる。
　同じく引用された特開昭６０−２０５７３５号公報（以下、「引用例２」という。）には、次の事項が記載されている。
（ｆ）「近年、電子時計同志或いは電子時計とデータ入力装置との間で無線でデータの授受を行うことが考えられている。」（第１頁左下欄第１２〜１４行）
（ｇ）第２図に示された回路図の説明として、「ＲＡＭ６は…計時データを記憶したり、また上記タッチスイッチ２からの文字入力に基づいて…発生するデータの記憶等、種々のデータを記憶するレジスタを多数有している。」（第２頁左上欄第１２〜１８行）
（ｈ）第２図に示された回路図の説明として、「またタッチスイッチ２は…座標検出を行われ、そして検出された座標データは…演算処理され、ＲＡＭ６へその結果データが書込まれる。受信部１２は他の電子腕時計から送信されてきたデータを受信し、…この受信データは…演算処理され、ＲＡＭ６へ書込まれる。またＲＡＭ６内のデータを他の電子時計に送信するときには、…送信部１５により送信される。」（第２頁右上欄第１４行〜同頁左下欄第８行）
（ｉ）第４図に示された送信処理フローの説明として、『上記ステップＴ１０の処理がすむと、次にタッチスイッチ２から文字「ロ」または「ハ」、或いは文字「イ」、「ロ」、「ハ」及び「ニ」以外の任意の文字を入力し、モードを指定する（ステップＴ１１）。…そしていま文字「ロ」が入力されたとき、…そのモード信号を送信し、ＲＡＭ６から時刻データを読出して送信する（ステップ１４）。他方、文字「ハ」が入力されたときには、…そのモード信号が送信され…次にタッチスイッチ２からＲＡＭ６の番地を入力し…その番地からデータが読出されて送信される（ステップＴ１８）。更に文字「イ」〜「ハ」以外の文字が入力されたときには…そのモード信号を送信し（ステップＴ１９）、次いでＲＡＭ６の番地をタッチスイッチ２から入力し（ステップ２０）、そして、必要なデータを１文字づつ入力してゆく。この入力文字は順次Ｘレジスタに書込まれ…Ｘレジスタ内の上記入力データを読出して送信し、次いでそれをＲＡＭ６の上記指定番地へ書込む（ステップ２４）。』（第３頁右上欄第１１行〜同頁右下欄第３行）
（ｊ）第５図に示された受信処理フローの説明として、「而して…相手側からのモード信号を受信し、それが時刻モードか否かを判断する（ステップＲ９）。そして時刻モードであれば相手側から送信されてくる時刻データを受信し（ステップＲ１０）、それを表示する（ステップＲ１１）。他方、時刻モードでなければ相手側からのデータを受信し（ステップＲ１２）、そしてそれを表示し（ステップＲ１３）、更にＲＡＭ６へ書込む処理を行う（ステップＲ１４）。」（第３頁右下欄第１８行〜第４頁左上欄第８行）
（ｋ）「尚、上記実施例ではこの発明を電子腕時計に適用したが、他の電子機器にも同様にこの発明を適用可能である。」（第４頁左下欄第７〜９行）
　上記（ｉ）の「モード信号」は、受信時に相手側から送信されてくるデータが時刻データなのかそれ以外のデータなのかを判別するのに用いられているのであるから、送信されてくるデータの種類に対応したものであり、送信されてくるデータが複数のモードのうちのどのモードかを示すモード信号であると認められる。
　したがって、上記（ｆ）〜（ｋ）の記載を参照して、引用例２には、
　電子機器において、無線でデータの授受を行い、他の電子機器から送信されてきたデータを受信してＲＡＭ６に記憶するものであり、送信されてくるデータ本体が複数のモードのうちのどのモードかを示すモード信号及びデータ本体を受信する受信部１２を設け、前記受信したモード信号に対応して前記受信したデータ本体のＲＡＭ６への記憶を制御すること
が記載されていると認められる。
３．本願発明と引用例１記載発明との対比
　本願発明（以下、「前者」という。）と引用例１記載発明（以下、「後者」という。）とを対比する。
（イ）後者の「外部からキー入力される」も、前者の「外部から送られてくるデータを受信」も、データを外部から入力する態様の一つであり、
（ロ）後者の「情報記憶装置」は、前者の「電子機器」に包摂され、
（ハ）後者の「データ記憶部１８」は、前者の「メモリ」及び「データ記憶手段」に相当し、
（ニ）後者の「キーワード」は、前者の「パスコードデータ」に相当し、
（ホ）後者の「文字キー１１ａ」は、前者の「データ入力キー」に相当し、
（ヘ）後者の「モードを選択するためのモード選択データ」は、前者の「モードデータ」に相当し、
（ト）後者の「データ記憶部１８に記憶される入力データ」は、後者の「実データ」に相当し、
（チ）後者の「モード判別結果を保持するモード判別部１５」は、前者の「モードデータ記憶手段」に相当している。
　よって、両者の一致点、相違点は次のとおりである。
［一致点］
　「外部から入力されるデータをメモリに記憶する電子機器において、複数のモードのシークレットデータ及びノーマルデータを記憶するデータ記憶手段と、前記データ記憶手段に記憶されたシークレットデータを読出すためのパスコードデータを記憶するパスコードデータ記憶手段と、データ入力キーと、このデータ入力キーにより前記パスコードデータ記憶手段に記憶されたパスコードデータと同一データが入力されたか否かを判別する判別手段と、外部から入力されたデータがモードデータ、実データのいずれかかを判断する判断手段と、この判断手段でモードデータと判断された場合に、外部から入力されたモードデータに応じたモードデータを記憶するモードデータ記憶手段と、前記判断手段で実データと判断された場合に、前記判別手段で同一データが入力されたと判別されているときには、前記外部から入力された実データを、前記モードデータ記憶手段に記憶されたモードデータに対応するモードのシークレットデータとして記憶させ、前記判別手段で同一データが入力されないと判別されているときには、前記外部から入力された実データを、前記記憶されたモードデータに対応するモードのノーマルデータとして記憶させる記憶制御手段と、を具備した電子機器」である点。
［相違点］
（１）前者は、通信機能付きであり、外部から入力されるデータがデータブロックとして外部から送られ受信されるデータであり、データをブロック毎に受信する受信手段と、記憶制御手段によって実データが記憶された後、次のデータブロックの送信を促すコードを送信するコード送信手段とを具備し、モードデータ記憶手段に記憶されたモードデータが受信したモードデータであるのに対して、後者は、通信機能がなく、外部から入力されるデータがキー入力されるデータであり、前者のような受信手段とコード送信手段とを具備せず、モードデータ記憶手段に記憶されたモードデータが受信したモードデータではない点。
（２）前者の判断手段は、外部から入力されたデータが終了データか否かも判断しているのに対して、後者に、外部から入力されたデータが終了データか否かを判断手段で判断することは明記されていない点。
（３）前者は、外部から入力されたデータが終了データと判断された場合に、データ記憶手段に記憶された実データを並び換える編集手段を具備するのに対して、後者は、そのような編集手段を具備していない点。
４．当審の判断
相違点（１）について。
　引用例２に、「電子機器において、通信機能を持たせ（無線でデータの授受を行い）、外部から送られてくるデータ（他の電子機器から送信されてきたデータ）を受信してメモリ（ＲＡＭ６）に記憶するものであり、送信されてくるデータ本体が複数のモードのうちのどのモードかを示すモードデータ（モード信号）及びデータ本体を受信する受信手段（受信部１２）を設け、前記受信したモードデータに対応して前記受信したデータ本体のデータ記憶手段（ＲＡＭ６）への記憶を制御すること」が記載されており、データ伝送において、送信データを任意のデータブロックに分割して送信し、受信側では受信したデータブロックに対応してその都度正しく受信されたか否かの確認応答符号を送信側に送り、送信側は確認応答符号に応じて次のブロックデータを送信することが周知であり（例えば特開昭５０−１１６２０２号公報第１頁右下欄第２〜１０行参照。）、後者において、外部から入力されるデータを他人に秘密にしたいシークレットデータとするか否かは該データを記憶する電子機器の所有者が決めることである一方でデータのモードはデータの種類（電話番号、メモ）により定まるものであるから、上記引用例２記載事項を後者に適用して、通信機能を付加し、外部から入力されるデータとしてデータブロックとして外部から送られ受信されるデータを採用し、データをブロック毎に受信する受信手段と、記憶制御手段によって実データが記憶された後、次のデータブロックの送信を促すコードを送信するコード送信手段とを設け、モードデータ記憶手段に記憶されたモードデータを受信したモードデータとすることは、当業者が容易になし得たことである。
相違点（２）について。
　データ伝送において、データの伝送の終了を示す信号を送り手側から受け手側に送ることが慣用手段であるから、後者の判断手段を外部から入力されたデータが終了データか否かも判断するものとして、外部から入力されたデータが終了データと判断された場合に、データ入力が終了したと判定するようにすることは、当業者が適宜になし得た設計事項にすぎない。
相違点（３）について。
　相違点（２）についての判断において述べたように、外部から入力されたデータが終了データと判断された場合に、データ入力が終了したと判定するようにすることは、当業者が適宜になし得た設計事項にすぎず、データ記憶装置において、データを記憶した後、データを並び替える編集手段を設けることが周知であるから（例えば特開昭６３−１２３１５８号公報、実願昭６１−６７３５８号（実開昭６２−１７９６６５号）に係るマイクロフィルム参照。）、後者において、外部から入力されたデータが終了データと判断された場合に、データ記憶手段に記憶された実データを並び換える編集手段を設けるようにすることは、当業者が容易になし得たことである。
５．まとめ
　以上のとおりであるので、本願発明は、引用例１、２に記載された発明及び周知技術事項に基いて、当業者が容易に発明をすることができたものと認められるから、特許法第２９条第２項の規定により特許を受けることができない。